(57)【特許請求の範囲】
【請求項１】
被写体を撮影して静止画像データを取得する静止画像データ取得手段と、
撮影時刻に対応する音声データを取得する音声データ取得手段と、
前記音声データを複数の分割音声データに分割する分割手段と、
前記静止画像データに１つ以上の前記分割音声データを関連付ける関連付け手段と、
を有し、
前記関連付け手段は、前記音声データの取得開始時刻と取得終了時刻とに基づいて前記静止画像データと１つ以上の前記分割音声データとを関連付けるための関連付け情報を生成することを特徴とする画像音声記録システム。
【請求項２】
前記関連付け手段は、前記関連付け情報を前記分割音声データに付随するヘッダ部に記録することを特徴とする請求項１に記載の画像音声記録システム。
【発明の詳細な説明】
【技術分野】
【０００１】
本発明は、画像及び音声を記録するための画像音声記録システムに関する。
【背景技術】
【０００２】
従来、電子カメラにおいて動画像と静止画像の両方を記録できるものが広く知られている。このうちの動画像の記録においては、音声の記録も行われる。そして、動画像の再生時には動画像と音声との時間的な同期が取られるように再生が行われる。一方、静止画像の記録においては、画像が一瞬の時間で記録される。これに対して音声はある程度の時間幅を持たせて記録するようにしないと意味のある音声として記録されない。このような記録時間の違いのため、静止画像と音声との関連付けを行っておかないと適切な再生を行うことが困難である。
【０００３】
このような静止画像と音声の関連付けの技術に関し、特許文献１においては、静止画像を記録するタイミングで一定時間の自動録音を行うようにしている。
【先行技術文献】
【特許文献】
【０００４】
【特許文献１】特開２００７−１２４７１３号公報
【発明の概要】
【発明が解決しようとする課題】
【０００５】
特許文献１においては、静止画撮影のタイミングに対して、音声の記録タイミングは決まっている。このため、例えばシャッタ動作とともに音声を一定期間録音するように記録を行った場合、静止画撮影前の音声を取り逃す恐れがある。さらに人物撮影などの場合では、その人物の発声期間が長くなると、音声情報が一定時間内に収まらない恐れもある。
【０００６】
本発明は、上記の事情に鑑みてなされたもので、静止画像と音声とを同時に記録する場合において、静止画像に対して適切な時間長の音声を関連付けすることが可能な画像音声記録システムを提供することを目的とする。
【課題を解決するための手段】
【０００７】
上記の目的を達成するために、本発明の一態様の画像音声記録システムは、被写体を撮影して静止画像データを取得する静止画像データ取得手段と、撮影時刻に対応する音声データを取得する音声データ取得手段と、前記音声データを複数の分割音声データに分割する分割手段と、前記静止画像データに１つ以上の前記分割音声データを関連付ける関連付け手段とを有し、前記関連付け手段は、前記音声データの取得開始時刻と取得終了時刻とに基づいて前記静止画像データと１つ以上の前記分割音声データとを関連付けるための関連付け情報を生成することを特徴とする。
【発明の効果】
【０００８】
本発明によれば、静止画像と音声とを同時に記録する場合において、静止画像に対して適切な時間長の音声を関連付けすることが可能となる。
【図面の簡単な説明】
【０００９】
【図１】本発明の一実施形態に係る画像音声記録システムの構成を示すブロック図。
【図２】本発明の一実施形態に係るＩＣレコーダに記録される音声ファイルの２種類のフォーマットを表す図。
【図３】本発明の一実施形態に係るカメラに記録される画像ファイルのフォーマットを表す図。
【図４】本発明の一実施形態における画像音声記録システムのカメラにおける制御について示すフローチャート。
【図５】本発明の一実施形態における画像音声記録システムのＩＣレコーダにおける制御について示すフローチャート。
【図６】カメラとＩＣレコーダの連携の例を示す図。
【図７】画像ファイルと分割音声データの関連付けを行うための画面の一例を示す図。
【発明を実施するための形態】
【００１０】
以下、図面を参照して本発明の実施形態を説明する。  
図１は、本発明の一実施形態に係る画像音声記録システムの構成を示すブロック図である。図１に示す画像音声記録システムは、携帯機器の一例としての撮像装置（カメラ）１００と、音声記録装置（ＩＣレコーダ２００）とを有している。ここで、図１では、カメラ１００とＩＣレコーダ２００とを別体として示しているが、カメラ１００内に音声の記録機能を持たせるようにした構成についても本実施形態の技術を適用できる。
【００１１】
図１に示すカメラ１００は、交換レンズ１１０と、本体１２０とを有している。交換レンズ１１０は本体１２０に対して分離可能になされている。ここで、図１ではカメラ１００がレンズ交換式カメラの場合を示している。しかしながら、カメラ１００は必ずしもレンズ交換式でなくとも良い。
【００１２】
交換レンズ１１０は、撮像レンズ１１１と、レンズ制御部１１２と、通信部１１３とを有している。撮像レンズ１１１は、図示しない被写体からの光束（画像情報）を本体１２０内部の撮像部１２１に入射させる。レンズ制御部１１２は、通信部１１３を介して本体１２０と通信可能になされている。このレンズ制御部１１２は、本体１２０からのレンズ制御信号に応じて例えばフォーカシング制御やズーミング制御といった撮像レンズ１１１のレンズ制御を行う。通信部１１３は、レンズ制御部１１２が本体１２０と通信するためのインターフェースである。
【００１３】
本体１２０は、撮像部１２１と、再生部１２２と、記録部１２３と、時計部１２４と、制御部１２５と、操作部１２６と、通信部１２７と、通信部１２８とを有している。画像データ取得手段の一例としての撮像部１２１は、撮像レンズ１１１を介して入射した光束（画像情報）を光電変換することにより画像データを取得する。再生部１２２は、液晶ディスプレイ等の表示部とスピーカ等の音声再生部とを有し、撮像部１２１において得られた画像データに基づく画像等の各種の画像を表示したり、ＩＣレコーダ２００から送信された音声を再生する。記録部１２３は、例えばフラッシュメモリである。この記録部１２３には、撮像部１２１において得られ、制御部１２５において処理されて得られた画像ファイル等の各種のデータが記録される。時計部１２４は、撮影時刻（日時）等の各種の時刻を計時する。制御部１２５は、本体１２０の各ブロックの動作制御を行う。また、制御部１２５は、撮像部１２１において得られた画像データに対して圧縮処理等の各種の画像処理を施すことも行う。操作部１２６は、ユーザが本体１２０に対して各種の操作指示を与えるための各種の操作部材である。操作部１２６の操作を受けた場合に、制御部１２５は、操作部１２６の操作内容に応じた各種の処理を実行する。通信部１２７は、制御部１２５が交換レンズ１１０と通信するためのインターフェースである。通信部１２８は、制御部１２５がＩＣレコーダ２００と通信するためのインターフェースである。
【００１４】
ＩＣレコーダ２００は、音声収録部２０１と、記録部２０２と、時計部２０３と、再生部２０４と、制御部２０５と、操作部２０６と、通信部２０７とを有している。音声データ取得手段の一例としての音声収録部２０１は、マイクロホン等を有して構成され、外部から入力された音声を電気信号に変換することにより音声データを取得する。記録部２０２は、例えばフラッシュメモリである。この記録部２０２には、音声収録部２０１において得られ、制御部２０５において処理されて得られた音声ファイル等の各種のデータが記録される。時計部２０３は、録音時刻（日時）等の各種の時刻を計時する。再生部２０４は、スピーカや表示部を有して構成され、記録部２０２に記録された音声ファイル等を音声に変換して再生したり、各種の画像を表示する。制御部２０５は、ＩＣレコーダ２００の各ブロックの動作制御を行う。また、制御部２０５は、音声収録部２０１において得られた音声データに対して圧縮処理等の処理を施すことも行う。操作部２０６は、ユーザがＩＣレコーダ２００に対して各種の操作指示を与えるための各種の操作部材である。操作部２０６を介した操作指示を受けた場合や通信部２０７を介した操作信号を受けた場合に、制御部２０５は、それらの操作指示に応じた各種の処理を実行する。通信部２０７は、制御部２０５が本体１２０と通信するためのインターフェースである。この通信部２０７と本体１２０の通信部１２８とを介してＩＣレコーダ２００と本体１２０とを通信可能とした状態で音声の記録を行うこともできる。
【００１５】
図２は本実施形態のＩＣレコーダ２００に記録される音声ファイルの２種類のフォーマットを表している。図２（ａ）は、ひとつながりの音声データを有する音声ファイルを示している。また、図２（ｂ）は、微小区分の複数の音声データ（分割音声データ）を含んでなる音声ファイルを示している。以下、図２（ａ）のフォーマットの録音を行うモードを通常録音モード、図２（ｂ）のフォーマットの録音を行うモードを分割録音モードと記す。録音モードについては、例えばＩＣレコーダ２００の操作部２０６若しくはカメラ１００が接続されている場合には本体１２０の操作部１２６の操作によって変更される。
【００１６】
通常録音モードにおける音声ファイルは、音声データ部と音声データ部に付随するヘッダ部とを備えている。ヘッダ部には、録音時刻等に加えて、画像データとの関連を示すサムネイル情報が含まれている。音声データ部にはひとつながりの音声データが格納されている。また、分割録音モードにおける音声ファイルもヘッダ部と音声データ部とを備えている。ヘッダ部は通常録音モードの場合と同じである。音声データ部は、音声データが複数のトラックに分割されており、各々のトラックは微小時間の音声データ（分割音声データ）を格納している。ここで、各トラックへの分割条件、即ち各トラックの有している音声データの格納量は、ある一定の時間（秒）でも良いし、ある一定の記録容量（byte）でも良い。トラックの数が一定数（例えば１００等）になるようにしても良い。さらには、各トラックの格納量を変更できるようにしてもよい。これらの分割条件は何れもＩＣレコーダ２００の操作部２０６により設定可能であり、或いは操作部２０６の操作が無い場合は固定の初期設定値に設定されるようにしても良い。また、カメラ１００とＩＣレコーダ２００とを接続した場合には、本体１２０の操作部１２６によって操作できるようにしても良い。なお、分割録音モードにおける分割条件はヘッダ部に記録される。このようにしておくことで、ヘッダ情報を読み取ることで各トラックが含むデータ格納量が判明する。
【００１７】
以下、分割録音モード時の分割条件をヘッダ部から入手する例を説明する。分かり易い例として、１つのトラックに一定時間ｔ秒の分割音声データを含むように各トラックを定配分した場合には、ヘッダ部に録音開始時刻、録音終了時刻、及び１トラック当たりの情報時間（この場合はｔ秒）を含ませる。また、各トラックを録音時系列順に配置する。このように分割音声データを配置すれば、ヘッダ部の分割条件を読み取ることにより、あるｋ番目のトラックの音声データの開始時刻を以下の式（１）に従って計算できる。  
録音開始時刻＋（ｋ−１）×ｔ（秒）    ・・・（１）
別の例として、各トラックに含まれるデータ格納量を同一とした場合には、ヘッダ部に録音開始時刻、録音終了時刻、及び総トラック数（ここでは例えばｎとする）情報を含ませる。また、各トラックを録音時系列順に配置する。このとき、あるｋ番目のトラックの音声データの開始時刻を以下の式（２）に従って計算できる。  
録音開始時刻＋（録音終了時刻―録音開始時刻）×（ｋ−１）／ｎ    ・・・（２）
さらに別の例として、各々のトラックの格納量を異ならせる場合には、各々のトラックの録音開始時刻及び録音時間（若しくは録音終了時刻）をヘッダ部に含ませる。
【００１８】
図３は、本実施形態のカメラ１００に記録される画像ファイルのフォーマットを表している。本実施形態における画像ファイルはヘッダ部と画像データ部とを備えている。そして、ヘッダ部には、画像データの取得開始時刻（撮影開始時刻）及び取得終了時刻（撮影終了時刻）に加えて、画像データ部に記録されている画像データが対応する１つ以上の分割音声データに関する対応音声情報が記録されている。この対応音声情報としては、例えば画像データが対応している分割音声データの先頭トラック、終了トラックを示す情報が考えられる。例えば、分割音声データが１〜１００トラック存在し、画像データに対応する分割音声データが５０〜６０トラックに存在する場合には、対応音声情報として「５０、６０」を記録しておく。この他、対応音声情報として、画像データが対応している分割音声データの開始時刻、終了時刻、再生時間を記録しておくようにしても良い。さらには、画像データが対応している分割音声データを１トラックずつ指定して対応音声情報として記録しておくようにしても良い。この場合、例えば、５０〜５５トラックが対応する場合には、「５０、５１、５２、５３、５４、５５」を記録する。
【００１９】
図４を参照してカメラ１００の制御について説明する。ユーザによる操作部１２６の操作によりカメラ１００の動作モードが設定される。制御部１２５は、動作モードが撮影モードか否かを判定する（Ｓ１０１）。動作モードが撮影モードである場合、制御部１２５は、ユーザによる操作部１２６の操作により撮影開始指示がなされたか否かを判定する（Ｓ１０２）。撮影開始指示がない場合には処理がＳ１０８に移行する。撮影開始指示があった場合に、制御部１２５は、動画撮影を行うか静止画撮影を行うかを判定する（Ｓ１０３）。静止画撮影の場合に、制御部１２５は、撮像部１２１を動作させることで静止画像データを取得する静止画撮影を実行する（Ｓ１０４）。静止画撮影の終了後、処理がＳ１０７に移行する。また、動画撮影の場合に、制御部１２５は、撮像部１２１を連続動作させることで動画像データを取得する動画撮影を実行する（Ｓ１０５）。動画撮影中において、制御部１２５は、ユーザによる操作部１２６の操作により撮影終了指示がなされたか否かを判定する（Ｓ１０６）。撮影終了指示がなされていない場合には処理がＳ１０５に戻って動画撮影が継続される。撮影終了指示がなされた場合には、処理がＳ１０７に移行する。
【００２０】
静止画撮影又は動画撮影の終了後、制御部１２５は、図３で示すフォーマットに従った画像ファイルを作成し、作成した画像ファイルを記録部１２３に記録する（Ｓ１０７）。先ず、ＩＣレコーダ２００が接続されていない状態を考える。この場合、画像ファイルのヘッダ部には、例えば撮影開始時刻、撮影終了時刻の情報を記録する。そして、これらを後ほどＩＣレコーダ２００の録音情報と対応させる。ここで、静止画撮影の場合、撮影開始時刻と撮影終了時刻とがほぼ同時となる。このため、対応させる分割音声データの範囲をある一定期間確保しておかないと音声として意味をなさない可能性がある。この一定期間を確保すべく、対応音声情報を記録する際には、以下の式（３）で示す撮影終了時刻Ｔ２を記録するようにすることが望ましい。  
Ｔ２＝Ｔ１＋ＴＸ・・・（３）  
（３）のＴ１は撮影開始時刻を示し、ＴＸはある一定の時間余裕である。この時間余裕ＴＸは自動的に用意しておくようにしても良いし、ユーザの操作部１２６の操作によって任意の値に変更できるようにしても良い。撮影状況に合わせて、静止画が撮影された時刻に対してＴ１を前後させるようにしても良い。このＴ１を前後させる時間幅も操作部１２６で設定可能として良い。また、ＩＣレコーダ２００が接続されている場合には、画像ファイルのヘッダ部には、例えば撮影開始時刻、撮影終了時刻の情報を記録する。さらに、対応音声情報の領域には、撮影開始時刻に対応した分割音声データを示す開始トラック情報と撮影終了時刻に対応した分割音声データを示す終了トラック情報を記録する。なお、撮影開始時刻に対応した分割音声データを示す開始トラック情報と撮影終了時刻に対応した分割音声データを示す終了トラック情報は、ＩＣレコーダ２００から録音開始時刻、録音終了時刻、１トラック当たりの情報時間や総トラック数を取得することにより、式（１）や式（２）から同定できる。例えば、関連付け手段の一例としての制御部１２５は、式（１）や式（２）によって計算される録音開始時刻が、撮影開始時刻に最も近い分割トラックを示す情報を開始トラック情報とし、録音終了時刻が、撮影終了時刻に最も近いトラックの１つ前の分割トラックを示す情報を終了トラック情報とする。また、操作部１２６を介して指示された期間内の分割音声データを示すトラック情報を記録させても良い。さらに、ＩＣレコーダ２００が接続されている場合には画像データのサムネイルをＩＣレコーダ２００に送信する。
【００２１】
画像ファイルの作成後、制御部１２５は、ユーザによる操作部１２６の操作により電源オフの指示がなされたか否かを判定する（Ｓ１０８）。電源オフの指示があれば制御部１２５は、カメラ制御を終了する。電源オフの指示が無ければ処理がＳ１０１に戻る。
【００２２】
また、カメラ１００の動作モードが撮影モードでない場合に、制御部１２５は、カメラ１００の動作モードが再生モードであるか否かを判定する（Ｓ１１１）。動作モードが再生モードでない場合には処理がＳ１０１に戻る。また、動作モードが再生モードである場合に、制御部１２５は、記録部１２３に記録された画像ファイルの一覧を再生部１２２に表示させる（Ｓ１１２）。一覧表示の後、制御部１２５は、ユーザによる操作部１２６の操作により画像ファイルの選択がなされたか否かを判定する（Ｓ１１３）。画像ファイルの選択がなされていない場合には処理がＳ１１９に移行する。画像ファイルの選択がなされた場合に、制御部１２５は選択された画像ファイルを記録部１２３から読み出し、読み出した画像ファイルに基づく画像を再生部１２２によって再生する（Ｓ１１４）。選択画像ファイルの再生後、制御部１２５は、通信部１２８の通信状態から、ＩＣレコーダ２００が接続されているか否かを判定する（Ｓ１１５）。ＩＣレコーダ２００が接続されていない場合には処理がＳ１１９に移行する。ＩＣレコーダ２００が接続されている場合に、制御部１２５は、Ｓ１１３において選択された画像ファイルに対応した分割音声データの送信をＩＣレコーダ２００に要求する（Ｓ１１６）。この際、対応音声情報に情報が記録されている場合には、その情報によって示されるトラックに対応した分割音声データの送信を要求する。対応音声情報に情報が記録されていない場合には、選択された画像ファイルのサムネイルを送信するとともに、ＩＣレコーダ２００に対して録音開始時刻、録音終了時刻、及び１トラック当たりの情報時間（若しくは総トラック数）の送信を要求する。そして、ＩＣレコーダ２００から送信された各情報と、選択された画像ファイルに対応した撮影開始時刻、撮影終了時刻とを比較して、選択された画像ファイルに対応した分割音声データを同定する。その後、分割音声データの送信を要求する。また、この場合には、対応音声情報の更新も行う。分割音声データの送信要求後、制御部１２５は、分割音声データが受信されたか否かを判定する（Ｓ１１７）。対応した分割音声データが受信できなかった場合には処理がＳ１１９に移行する。また、対応した分割音声データが受信できた場合に、制御部１２５は、その対応した分割音声データを再生部１２２により再生する（Ｓ１１８）。その後、処理がＳ１１９に移行する。
【００２３】
Ｓ１１９において、制御部１２５は、ユーザによる操作部１２６の操作により再生終了指示がなされたか否かを判定する（Ｓ１１９）。再生終了指示がなされていない場合には処理がＳ１１２に戻る。また、再生終了指示がなされた場合には処理がＳ１０８に移行する。
【００２４】
図５を参照してＩＣレコーダ２００の制御について説明する。ユーザによる操作部２０６の操作によりＩＣレコーダ２００の動作モードが設定される。制御部２０５は、動作モードが録音モードか否かを判定する（Ｓ２０１）。動作モードが録音モードである場合、制御部２０５は、通信部２０７の通信状態から、カメラ１００の本体１２０が接続されているか否かを判定する（Ｓ２０２）。本体１２０が接続されていない場合に、制御部２０５は、ユーザによる操作部２０６の操作により録音開始指示がなされたか否かを判定する（Ｓ２０３）。録音開始指示がない場合には処理がＳ２０８に移行する。録音開始指示があった場合に、制御部２０５は、音声収録部２０１を動作させて音声データを取得する録音を実行する（Ｓ２０４）。カメラ１００が接続されていない場合の音声データは図２（ａ）に示すひとつなぎの音声データであっても、図２（ｂ）に示す複数トラックの音声データであっても良い。これらを操作部２０６の操作によって選択できるようにしても良い。録音中において、制御部２０５は、ユーザによる操作部２０６の操作により録音終了指示がなされたか否かを判定する（Ｓ２０５）。録音終了指示がなされていない場合には処理がＳ２０４に戻って録音が継続される。録音終了指示がなされた場合には、処理がＳ２０７に移行する。また、本体１２０が接続されている場合に、制御部２０５は、カメラ１００と連携しての録音を実行する（Ｓ２０６）。この際、カメラ１００において動画撮影が行われる場合には例えば撮影開始指示と同時に録音を開始し、撮影終了指示と同時に録音を終了する。静止画撮影が行われる場合には、例えばカメラ１００の接続が検知された時点で録音を開始し、撮影終了指示と同時に録音を終了する。何れの場合であっても分割手段の一例としての制御部２０５は、図２（ｂ）で示したようにして音声データを定配分するように録音を実行する。この際、音声信号の振幅や音声信号の周波数が略一定の場合に録音を継続してひとつの分割音声データと記録するようにしても良い。このようにすれば、ひとつながりの音声が途中で途切れてしまうようなことがない。
【００２５】
録音終了後、制御部２０５は、図２で示すフォーマットに従った音声ファイルを作成し、作成した音声ファイルを記録部２０２に記録する（Ｓ２０７）。図２（ａ）で示す通常録音モードにおける音声ファイルのヘッダ部の領域には、例えば録音開始時刻、録音終了時刻を記録する。図２（ｂ）で示す分割録音モード時における音声ファイルのヘッダ部の領域には、例えば録音開始時刻、録音終了時刻、１トラック当たりの情報時間の情報を記録し、後ほどカメラ１００の画像ファイルと対応させる。ヘッダ部に、分割トラック数と１トラック当たりの容量の情報を記録しても良い。さらに、カメラ１００が接続されている場合には、カメラ１００から送信されてきたサムネイルもヘッダ部に記録する。
【００２６】
音声ファイルの作成後、制御部２０５は、ユーザによる操作部２０６の操作により電源オフの指示がなされたか否かを判定する（Ｓ２０８）。電源オフの指示があれば制御部２０５は、レコーダ制御を終了する。電源オフの指示が無ければ処理がＳ２０１に戻る。
【００２７】
また、ＩＣレコーダ２００の動作モードが録音モードでない場合に、制御部２０５は、ＩＣレコーダ２００の動作モードが再生モードであるか否かを判定する（Ｓ２１１）。動作モードが再生モードでない場合には処理がＳ２０１に戻る。また、動作モードが再生モードである場合に、制御部２０５は、カメラ１００の本体１２０が接続されているか否かを判定する（Ｓ２１２）。本体１２０が接続されていない場合に、制御部２０５は、記録部２０２に記録された音声ファイルの一覧を再生部２０４に表示させる（Ｓ２１３）。一覧表示の後、制御部２０５は、ユーザによる操作部１２６の操作により音声ファイルの選択がなされたか否かを判定する（Ｓ２１４）。音声ファイルの選択がなされていない場合には処理がＳ２２０に移行する。音声ファイルの選択がなされた場合に、制御部２０５は選択された音声ファイルを記録部２０２から読み出し、読み出した音声ファイルに基づく音声を再生部２０４によって再生する（Ｓ２１５）。選択音声ファイルの再生後、処理がＳ２２０に移行する。また、本体１２０が接続されている場合に、制御部２０５は、カメラ１００からヘッダ部情報の送信要求がなされたか否かを判定する（Ｓ２１６）。ヘッダ部情報の送信要求がなされた場合に、制御部２０５は、記録部２０２に記録されている音声ファイルのうちの分割音声データを有する音声ファイルのヘッダ部に記録されている情報をカメラ１００に送信する（Ｓ２１７）。ここでは、例として、録音開始時刻、録音終了時刻、１トラック当たりの録音時間等の情報を送信するとする。また、この場合には、関連付けとして、画像ファイルを示すサムネイルを音声ファイルのヘッダ部に記録する。その後、制御部２０５は、分割音声データの送信要求がなされたか否かを判定する（Ｓ２１８）。分割音声データの送信要求がなされていない場合には処理がＳ２２０に移行する。分割音声データの送信要求がなされた場合に、制御部２０５は、対応する分割音声データをカメラ１００に送信する（Ｓ２１９）。その後、処理がＳ２２０に移行する。
【００２８】
Ｓ２２０において、制御部２０５は、ユーザによる操作部２０６の操作により再生終了指示がなされたか否かを判定する（Ｓ２２０）。再生終了指示がなされていない場合には処理がＳ２１２に戻る。また、再生終了指示がなされた場合には処理がＳ２０８に移行する。
【００２９】
以上説明したように、本実施形態によれば、カメラ１００の画像撮影と音声の録音とを連携させる際には、本来はひとつながりでなる音声データを複数のトラックに分割して記録するようにしている。これにより、画像データに対して、関連のある分割音声データのみを関連付けることが可能となる。また、画像ファイルのヘッダ部に対応音声情報を記録できる領域を設けることにより、仮に、画像ファイルと音声ファイルとが別々に作成されたような場合であっても関連付けを行うことが可能である。
【００３０】
ここで、上述の例では、画像ファイルと分割音声データとの関連付けは、カメラ１００とＩＣレコーダ２００とを直接連係させて行っている。これに対し、画像ファイルと音声ファイルを個別にサーバ上にアップロードし、サーバ上で関連付けを行っても構わない。
【００３１】
また、図６にＩＣレコーダとカメラの連係の実際について図示する。例えば、ＩＣレコーダ２００は図６（ａ）のような外観である。このＩＣレコーダ２００の上面（図６（ａ）の前面方向）には音声収録部としてのステレオマイク２０１ａが設けられている。また、ＩＣレコーダ２００の下面（図６（ａ）の背面方向）には通信部２０７の一例としてのＵＳＢ端子２０７ａが形成されている。このＵＳＢ端子２０７ａは通常は端子キャップ２０７ｂによって保護されている。また、カメラ１００には図６（ｂ）のようにしてアクセサリ３００を介してＩＣレコーダ２００と通信するための装着部１２８ａが設けられている。アクセサリ３００にはＵＳＢ端子３００ａが形成されており、このＵＳＢ端子３００ａとＩＣレコーダ２００のＵＳＢ端子２０７ａとを接続した状態で、アクセサリ３００をカメラ１００の装着部１２８ａに装着することで、カメラ１００とＩＣレコーダ２００とが通信自在に接続される。勿論、図６で示したものは一例であって、カメラ１００とＩＣレコーダ２００とが通信自在に接続可能な任意の形態を適用できる。
【００３２】
また、図７は、ユーザが手動で画像ファイルと分割音声データとの関連付けを行うための画面の一例である。この画面は例えばカメラ１００の再生部１２２にて表示される。ここでは、画像ファイルを示す画像を上方に縮小表示（若しくはサムネイル表示）し、分割音声データを下方に表示する例を示している。分割音声データの内容が視覚的に分かり易くなるように、例えば分割音声データ中で音声がある部分を色つき表示し、無音声の部分を白表示する。操作部１２６による横スクロール操作で画像ファイルの表示が切り替わり、縦スクロール操作で分割音声データの表示が切り替わる。分割音声データはそれぞれ無音声（音量がゼロ）の部分で分割するようにし、各分割音声データ単位で画像ファイルと関連付けることができる。図７の例では画像αは分割音声データＡと、画像βは音声データＢ及び音声データＣと、画像γは音声データＤと関連付けられ、例えば画像ファイルと音声データとを紐付けで結んで表示することで関連を表している。この画面上で画像αの再生を行うと、音声データＡの再生が行われる。また、この画面上で、画像ファイルと分割音声データとの関連付けを自由に変更することもできる。
【００３３】
以上実施形態に基づいて本発明を説明したが、本発明は上述した実施形態に限定されるものではなく、本発明の要旨の範囲内で種々の変形や応用が可能なことは勿論である。ここで、本発明の要旨をまとめると特許請求の範囲に記載したものに加えて以下のようなものを含む。  
（１）請求項１乃至３の何れか１項に記載の画像音声記録システムに設けられ、前記画像データ取得手段、前記分割手段、前記関連付け手段を有し、前記音声データ取得手段が独立して分離可能であることを特徴とする携帯機器。  
（２）前記関連付け手段は、前記画像データの取得と前記音声データの取得とが行われている際に前記画像データと前記分割音声データとの関連付けを行うことを特徴とする（１）に記載の携帯機器。  
（３）前記関連付け手段は、前記音声データ取得手段が接続されることにより、前記画像データと前記分割音声データとの関連付けを行うことを特徴とする（１）に記載の携帯機器。  
（４）  前記画像データと前記分割音声データとはサーバ上に記録され、前記関連付け手段は前記サーバ上にて前記画像データと前記分割音声データとの関連付けを行うことを特徴とする（１）に記載の携帯機器。
【符号の説明】
【００３４】
１００…撮像装置（カメラ）、１１０…交換レンズ、１１１…撮像レンズ、１１２…レンズ制御部、１１３…通信部、１２０…本体、１２１…撮像部、１２２…再生部、１２３…記録部、１２４…時計部、１２５…制御部、１２６…操作部、１２７,１２８…通信部、２００…ＩＣレコーダ、２０１…音声収録部、２０２…記録部、２０３…時計部、２０４…再生部、２０５…制御部、２０６…操作部、２０７…通信部
【図１】
0005530192.tif 000002
【図２】
0005530192.tif 000003
【図３】
0005530192.tif 000004
【図４】
0005530192.tif 000005
【図５】
0005530192.tif 000006
【図６】
0005530192.tif 000007
【図７】
0005530192.tif 000008